(57)【特許請求の範囲】
【請求項１】
ドレンの流入部と、ドレンの排出部とを備え、前記流入部から前記排出部へ水を通しつつ、圧力差の正負、逆転及び破封に関わらず臭気や空気の移動を防止する排水用トラップであって、
前記流入部と前記排出部との間には、ドレンを、前記流入部と前記排出部との間でこの流入部及び排出部の底部より垂直方向に低い位置を通過させるように連通路を形成し、
前記連通路の前記低い位置には、一定量の水を貯留する貯留部が形成され、
前記流入部と前記排出部の近傍には、それぞれ反対の流入口及び排出口を塞ぐことにより、前記流入部と前記排出部との空気の移動を防ぐフロートを備え、
前記２つのフロートを、外部からの水又は空気の流入のない状態において、それぞれ流入口及び排出口を塞ぐ方向に移動させる付勢手段を備えることを特徴とする排水用トラップ。
【請求項２】
前記連通路は、排水用トラップの筐体を分割する仕切りの底部の少なくとも一部に、前記筐体との間に、連通路の前記低い位置を形成する通水部が設けられたことを特徴とする請求項１記載の排水用トラップ。
【請求項３】
前記付勢手段は、排水用トラップの底部から、垂直方向に立ち上がった複数の板状片からなり、
前記流入部側と、前記排出部側とに分かれて、それぞれの板状片の上面により、それぞれ流入部側又は排出部側に傾斜を形成したことを特徴とする請求項１又は２に記載の排水用トラップ。
【請求項４】
前記付勢手段は、複数の孔を備え通水する網状部材からなり、
前記網状部材は、前記流入部側又は前記排出部側から見た形状をＶ字状にし、それぞれ前記流入部と前記排出部とを結んだ略中央部分から、前記流入部側又は前記排出部側に向って傾斜したものであることを特徴とする請求項１又は２に記載の排水トラップ。
【請求項５】
前記付勢手段は、フロートに取り付ける紐状部材からなり、
前記紐状部材の端部が、前記流入口及び排出口の直上に取りつけられ、外部からの水又は空気の流入のない状態において、２つのフロートがそれぞれ流入口及び排出口に当接した位置に移動させるものであることを特徴とする請求項１又は２に記載の排水トラップ。
【発明の詳細な説明】
【技術分野】
【０００１】
本発明は、空調機などの冷却結露水（以下、ドレンという。）の排水配管において、流入部側と排出部側の正負の圧力差や圧力差の逆転及びドレン発生の停止による封水の蒸発にも対応可能な排水トラップに関する。
【背景技術】
【０００２】
従来、空調機等におけるドレンの排水配管は、排水トラップや逆止弁により、汚染空気や臭気の流入を防止する工夫がなされている。
【０００３】
このような空調機からの排水配管に設ける排水トラップにおいて、例えば一般的な例として、空調機側が負圧の場合、冬季などドレン発生がなくなり、排水トラップ部の封水が蒸発してしまうと排出部側の汚染空気や臭気が空調機内に混入してしまう。なお、本明細書において水封とは、ドレンで空気や臭気の移動経路を塞ぐことをいい、封水とは、水封に用いられるドレン（水）のことをいい、破封とは、封水の蒸発などにより水封が切れることをいう。
【０００４】
上記のような破封による汚染空気や臭気の流入の対応策として、トラップ部への水分補給やフロートボール式の封水器具が提案されている（特許文献１参照）。この特許文献１では、受入部と排出部とを連通する連通路を備えた本体が設けられ、この連通路上に、流入部にて受け入れた排水を貯留する貯留部と、その貯留部に設定量以上の排水が貯留したときに浮上して連通路を開き排出部への排水の流動を許容する常閉逆止弁とを設け、常閉逆止弁の真下に連通する貯留部に排水を貯留し、貯留部に設定量以上の排水が貯留するときには、排水の水位の上昇に伴って常閉逆止弁が浮上して、適正な排出部への排水の流動を可能としたものである。
【先行技術文献】
【特許文献】
【０００５】
【特許文献１】特開２００６−１１２１５４号公報
【発明の概要】
【発明が解決しようとする課題】
【０００６】
特許文献１のトラップは、流入部側が排出部側に比べ負圧の場合に使用されるものであり、この負圧が保持されていれば、破封の場合でも汚染空気や臭気の逆流を防止することが可能である。しかしながら、施工で流れ方向を逆に設置した場合には、破封により汚染空気や臭気が流入部側に移動するという不具合があった。
【０００７】
また、平常時には、流入部側が排出部側に対して負圧であっても、排出部側の系統には通常他の各種系統の排水も接続され、水量変化等により、流入部側が排出部側に対して正圧となることもあり、破封時においては、軽量なフロートでは、ドレンの流入部側から排出部側への空気の流出を防止することは不可能であった。
【０００８】
また、上記のような流入部側と排出部側の圧力差の逆転は、空調機側送風機の停止や、空調機系統に取り付けられるフィルタ類の圧力損失変動に伴い変動し、特許文献１のトラップでは、空気の移動を防止することは不可能であった。さらに、流入部側が排出部側に対して正圧の場合には使用できなかった。
【０００９】
本発明は、上記のような従来技術の課題を解決するもので、その目的は、流入部側と排出部側の圧力差やその圧力差の逆転に対しても、また封水の蒸発に対しても、空気や臭気の移動を防止することが可能な排水トラップを提供することにある。
【課題を解決するための手段】
【００１０】
上記の目的を達成するために、本発明は、ドレンの流入部と、ドレンの排出部とを備え、前記流入部から前記排出部へ水を通しつつ、圧力差の正負、逆転及び破封に関わらず臭気や空気の移動を防止する排水用トラップであって、前記流入部と前記排出部との間には、ドレンを、前記流入部と前記排出部との間でこの流入部及び排出部の底部より垂直方向に低い位置を通過させるように連通路を形成し、前記連通路の前記低い位置には、一定量の水を貯留する貯留部が形成され、前記流入部と前記排出部の近傍には、それぞれ反対の流入口及び排出口を塞ぐことにより、前記流入部と前記排出部との空気の移動を防ぐフロートを備え、前記２つのフロートを、外部からの水又は空気の流入のない状態において、それぞれ流入口及び排出口を塞ぐ方向に移動させる付勢手段を備えることを特徴とする。
【００１１】
以上の態様では、２つのフロートを流入部側と排出部側に設け、さらに、それぞれ流入口及び排出口を塞ぐ方向に移動させる付勢手段を設けることにより、冬季などの破封時において、流入部側及び排出部側の正圧・負圧の圧力差の逆転がある場合であっても、それぞれの場合において、フロートが、流入口又は排出口を塞ぐことで、排出部側と流入部側間の空気の移動を防止することができる。
【００１２】
なお、夏季などの除湿期、すなわちドレン発生時期には、流入口と排出口の底部位置より下方に設けられた貯留部に流入部側からのドレンが一定量貯留され、流入部側と排出部側との問で空気の移動が水封される。このように本実施形態の排水用トラップにおいて、夏季などの除湿時期においては、ドレンによる水封により、流入部側と排出部側間の空気の流れを防ぐことができる。また、水封は、流入部側と排出部側の圧力差により、その高さを調整する。
【００１３】
以上により、流入部側と排出部側の圧力差の正負逆転およびドレン流入の停止による貯留部の封水の蒸発にも対応可能な排水トラップを提供することができる。
【００１４】
上記の連通路は、具体的には、排水用トラップの筐体を二分する仕切りの底部の少なくとも一部に、前記筐体との間に、連通路の低い位置を形成する通水部が設けられたことにより構成することが可能である。
【００１５】
上記付勢手段については、以下の３つの態様により構成することも可能である。すなわち、第１に、付勢手段は、排水用トラップの底部から、垂直方向に立ち上がった複数の板状片からなり、前記流入部側と、前記排出部側とに分かれて、それぞれの板状片の上面により、それぞれ流入部側又は排出部側に傾斜を形成した構成とすることも可能である。また、第２に、付勢手段は、複数の孔を備え通水する網状部材からなり、前記網状部材は、前記流入部側又は前記排出部側から見た形状をＶ字状にし、それぞれ前記流入部と前記排出部とを結んだ略中央部分から、前記流入部側又は前記排出部側に向って傾斜したものにより構成することも可能である。第３に、付勢手段は、フロートに取り付ける紐状部材からなり、前記紐状部材の端部が、前記流入口及び排出口の直上に取りつけられ、外部からの水又は空気の流入のない状態において、２つのフロートがそれぞれ流入口及び排出口に当接した位置に移動させるものにより構成することも可能である。
【発明の効果】
【００１６】
本発明によれば、流入部側と排出部側の圧力差の正負やその圧力差の逆転に対しても、また封水の蒸発に対しても、空気や臭気の移動経路を塞ぐことが可能な排水トラップを提供することができる。
【図面の簡単な説明】
【００１７】
【図１】本発明の実施形態における排水用トラップの構成を示す分解斜視図。
【図２】本発明の実施形態における排水用トラップの構成を示す模式図。
【図３】本発明の他の実施形態における付勢手段の構成を示す模式図。
【図４】本発明の他の実施形態における付勢手段の構成を示す模式図。
【図５】本発明の他の実施形態における連通路の構成を示す模式図。
【発明を実施するための形態】
【００１８】
本発明を実施するための形態について、図１〜図５を参照して説明する。
【００１９】
［１．本実施形態］
［１−１．構成］
本実施形態の排水用トラップは、図１及び図２に示すように、全体が円筒形状の本体１２からなり外蓋１０と中蓋１１を備える筐体１からなり、この筐体１に、水が流入する流入部２と水を排出する排出部３とを対向する位置に備える。この流入部２から、空調機ドレン等の排水配管に接続されるものであり、流入部２から一定量の水を貯留する貯留部４を通過ししつつ、排出部３へ向って水を連通させる連通路５を形成する。
【００２０】
図２（ａ）の側面側模式図に示すように、流入部２と排出部３の底部位置は、筐体１の底面から立ち上がった位置に設けられており、この立ち上がりにより、筐体１の底部に貯留部４が形成されている。
【００２１】
筐体１は、仕切り６により左右に分割されるようになっており、この仕切り６は、図１及び図２（ｂ）に示すように、下向きのコの字形状の通水部６０が設けられており、この通水部６０の内側に水を通すことで連通路５を形成している。そして、連通路５を形成するコの字を形成する通水部６０の筐体１底面からの高さＨは、流入部２及び排出部３の底部位置より同等又は低くなっており、貯留部４にある程度水が溜まった状態において、仕切り６の下部が水封され、通水部６０より空気が通過せず、結果として流入部２と排出部３との間で空気の移動が封じられるように構成されている。この場合の水封高さは、Ｈ０−Ｈとなる。
【００２２】
仕切り６によって区切られた筐体１の流入部２と排出部３側にはそれぞれ球状のフロート７ａ，７ｂが備えられている。
【００２３】
この２つのフロート７ａ，７ｂは、外部からの水又は空気の流入のない状態において、それぞれ流入部２の流入口２０及び排出部３の排出口３０を塞ぐ方向に移動させる付勢手段８が設けられている。この付勢手段８は、具体的には、排水用トラップの底部から、垂直方向に立ち上がった複数の板状の傾斜片８０からなり、この傾斜片８０は、流入部２側と排出部３側とに分かれ、それぞれの側において、複数の板状の傾斜片８０の上面により、それぞれ流入部２側又は排出部３側に傾斜を形成している。
【００２４】
すなわち、図２（ｂ）の側面側模式図に示すように、仕切り６から流入部２及び排出部３に向けて傾くように傾斜片８０が設けられ、さらに、この傾斜片８０は、組み合わせにより、図２（ａ）の正面模式図に示すように、正面側左右方向から、中央の流入部２及び排出部３に向けて傾斜するように構成されている。これにより、２つのフロート７ａ，７ｂは、外部からの水又は空気の流入のない状態において、重力によりそれぞれ流入口２０及び排出口３０を塞ぐ方向に移動するようになっている。
【００２５】
［１−２．作用］
以上のような構成の本実施形態の排水用トラップを空調機系統のドレン排水系統に用いた場合における作用を例にとって以下に説明する。
［１−２−１．ドレン発生時期］
夏季などの除湿期には、空調機に接続された流入部２側からは、空調における結露水であるドレンが流入する。例として、流入部２側は正圧、排出部３側は負圧とする。このドレンは、流入部２側から、貯留部４に流入し、連通路５を通って排出部３から排水される。
【００２６】
また、流入部２と排出部３の底部位置が、筐体１の底面から立ち上がった位置に設けられ、この立ち上がりにより、筐体１の底部に貯留部４が形成されることで、この貯留部４に流入部２側からのドレンが一定量貯留される。さらに筐体１を左右に分割する仕切６に、連通路５の一部を形成する下向きコの字形状の通水部６０が設けられる。通水部６０の上端と流入口２０および排出口３０の下端までの距離が、封水深さとなり、流入部側と排出部側の圧力差により、その高さを設定することで、流入部２と排出部３との間で空気の移動が防止される。なお、このとき、２つのフロート７ａ，７ｂは、貯留部４に溜まった水により、浮かび上がり、ドレンの流通を阻害するようなことはない。
【００２７】
したがって、流入部２側からドレンが流入する夏季などの除湿期では、貯留部４の存在も通水部６０の上端と流入口２０および排出口３０の下端までの距離の関係から、流入部２側と排出部側とで圧力差の逆転があっても、流入部２と排出部３との間で空気の移動が防止される。
【００２８】
［１−２−２．ドレン発生のない時期］
通常、冬季には、空調機からのドレンの流入がなくなり、貯留部４に貯留する封水が蒸発し、破封する。この状態で、排出部側系統は、各種系統の排水が接続され、水量変化等により、あるいは空調機側の送風機の発停や空調機系統に取り付けられるフィルタ部の圧力損失変動に伴い、流入部側と排出部間において圧力差の逆転もあり、流入部２と排出部３の間で空気移動が発生する。
【００２９】
このような従来のトラップに対して、本実施形態のドレン排水用トラップでは、フロート７ｂが排出部側３の排出口３０を塞ぎ、流入部側から排出部側への空気の放出を防ぐ。一方、圧力が逆の場合、すなわち、排出部側が正圧で、流入部側が負圧の場合、フロート７ａが流入部２の流入口２０を塞ぐ。
【００３０】
なお、このとき、複数の組み合わせにより流入部２に向けて傾斜した傾斜片８０により構成される付勢手段８が設けられていることで、フロート７ａ，７ｂは、流入口２０及び排出口３０を塞ぐ方向に効率よく誘導することができる。
【００３１】
［１−３．効果］
以上のように、本実施形態によれば、夏季などの除湿期には、流入部２と排出部３の底部位置より下方に設けられた貯留部４に流入部２側からのドレンが一定量貯留され、さらに、筐体１を左右に分割する仕切り６の通水部６０により、貯留部４にある程度水が溜まった状態において、流入部２と排出部３との間で空気の移動が防止される。このように本実施形態の排水用トラップにおいては、夏季などの除湿期において、ドレンによる水封により、排出部３側と流入部２側間の空気の流れを絶つことができる。
【００３２】
また、冬季などのドレンの発生のない破封時においても、また流入部２側及び排出部３側の正圧・負圧の圧力差の逆転がある場合であっても、それぞれの場合において、フロート７ａ，７ｂが、流入部２側又は排出部３側に移動し、このフロート７ａ，７ｂにより流入口２０又は排出口３０を塞ぐことで、排出部３側と流入部２側間の空気の流れを絶つことができる。
【００３３】
これにより、ドレン流入の停止による貯留部４の封水の蒸発や、流入部側と排出部側の圧力差の逆転に対しても対応可能な排水トラップを提供することができる。
【００３４】
［２．他の実施形態］
本発明は上記の実施形態に限られず、例えば次のような態様も包含する。上記実施形態においては、本発明の排水用トラップを、空調機に用いた例を示したが、本発明は、空調機に限られず、流入部側から排出部側へ水の流れを伴い、場合によっては流入部側と排出部側における圧力差の逆転などにより、排出部側から流入部側又はその逆における大量な空気が流入する状況にある器具にも用いることが可能である。例えば、排出部側からの汚染空気の流入が許されないクリーンルームの外部への排水配管や大きな圧力差の逆転があるドラフトチャンバーの排水配管にも利用可能である。
【００３５】
また、上記実施形態において、付勢手段８について、複数の傾斜片８０により、フロートをそれぞれ流入口２０又は排出口３０へ移動させるような形状に組み合わせて用いたが、本発明では、このような形状のものに限られず、外部からの水又は空気の流入のない状態において、それぞれ流入口２０及び排出口３０を塞ぐ方向に移動させるものであれば、その態様は種々採用可能である。
【００３６】
例えば、図３に示すように、付勢手段８として、傾斜片８０を設けるのではなく、ネット状のように複数の孔を有する通水性の網状部材８１により構成し、流入部２側又は排出部３側見て、Ｖ字状に形成され、それぞれ流入部２と排出部３とを結んだ略中央部分、すなわち仕切り６の位置から、流入口２０又は排出口３０側に向って傾斜した構成により実現することも可能である。
【００３７】
また、図４に示すようにフロートに、紐状部材８２を取りつけ、この紐状部材の端部を、流入口２０及び排出口３０の直上に取りつけ、外部からの水又は空気の流入のない状態において、２つのフロートがそれぞれ流入口２０及び排出口３０に当接した位置に移動させるように構成することで、付勢手段８を実現することも可能である。
【００３８】
本実施形態において、筐体１全体又は連通路５の構成として、円筒形の筐体１の底から所定の立ち上げを設けて流入口２０と排出口３０とを設け、この筐体１に、位置に下向きコの字型の通水部６０を備えた仕切り６によって左右に分割することで設けたが、本発明はこのような態様に限られず、例えば、図５に示すように、連通路５の底部と、流入口２０及び排出口３０の底部との間に一定の高さの差を設け、流入部２から流入した水が流入口２０と排出口３０との間に貯留しつつ、両者間に通水部６１を有するように、全体を環状にした環状連通路５１の構成としてもよい。
【００３９】
また、本実施形態において、排水用トラップの筐体１を円筒形で表したが、筐体の形状はこのような例に限られず、立方体や直方体、または多角形状の立体によっても構成可能である。
【符号の説明】
【００４０】
１…筐体
１０…外蓋
１１…中蓋
１２…本体
２…流入部
２０…流入口
３…排出部
３０…排出口
４…貯留部
５…連通路
５１…環状連通路
６…仕切り
６０，６１…通水部
７ａ，７ｂ…フロート
８…付勢手段
８０…傾斜片
８１…網状部材
８２…紐状部材
【図１】
0005419722.tif 000002
【図２】
0005419722.tif 000003
【図３】
0005419722.tif 000004
【図４】
0005419722.tif 000005
【図５】
0005419722.tif 000006